(57)【要約】【課題】受信放送信号を恒常記録媒体に記録し、必要に応じて所望の所定区間を再生し、迅速に視聴できる放送信号記録方法の実現。【解決手段】入力される放送信号Vinを画面に再生するとともにメモリ16,17上に圧縮して保存する段階と、使用者による第１所定キーの入力時、第１所定キーの入力時点以前の既設定された所定時間の間に入力される放送信号をメモリ16,17上に圧縮して保存する段階と、使用者による第２所定キーの入力時、第１所定キーの入力時点以前に、既設定された所定時間の間にメモリ上に圧縮して保存された放送信号を伸長して変速再生する段階と、を含む放送信号記録及び再生方法。【選択図】図２
2006211700.tif 000002
【特許請求の範囲】
【請求項１】
放送信号を記録及び再生する方法において、
入力される放送信号を画面に再生するとともにメモリ上に圧縮して保存する段階と、
使用者による第１所定キーの入力時、前記第１所定キーの入力時点以前の既設定された所定時間の間に入力される放送信号を前記メモリ上に圧縮して保存する段階と、
使用者による第２所定キーの入力時、前記第１所定キーの入力時点以前に、既設定された所定時間の間に前記メモリ上に圧縮して保存された放送信号を伸長して変速再生する段階と、
を含むことを特徴とする放送信号記録及び再生方法。
【発明の詳細な説明】
【技術分野】
【０００１】
本発明は、放送信号を記録、再生する装置とその制御方法に係るもので、詳しくは、受信される放送信号の映像及び音声を視聴し得ると共に、所定区間の放送信号を恒常記録媒体に記録させ、必要に応じ、使用者所望の過ぎ去った区間の放送を再生し視聴し得る放送信号の記録及び再生装置とその制御方法に関するものである。
【背景技術】
【０００２】
一般に、任意の放送プログラムを再生し視聴する場合は、ビデオテープレコーダーのような記録再生媒体が必要となり、使用者は予めレコーディング機能を設定しなければならない。且つ、一般の記録再生媒体において、プログラムの全体でない任意の一部区間のみを再生しようとする場合も、使用者はその区間を予測してレコーディング機能を予め設定しなければならない。例えば、野球競技を視聴する場合において、使用者はホームランのようなハイライト場面が起る時点を予測し、予めレコーディング機能を行うことができないので、いくつかのハイライト場面のため野球競技全体をビデオテープレコーダーに記録しなければならないという不都合な点がある。
【発明の開示】
【発明が解決しようとする課題】
【０００３】
本発明の目的は、受信される放送信号の映像及び音声を視聴し得ると共に、所定区間の放送信号を恒常記録媒体に記録し、必要に応じて使用者所望の過ぎ去った放送区間を劣化なく再生し、定速又は区分動作若しくは停止画面にて迅速に視聴し得るようにした放送信号の記録及び再生装置とその制御方法を提供しようとするものである。
【課題を解決するための手段】
【０００４】
そして、このような本発明の目的は、キー入力部と、該キー入力部の出力信号によりメモリに記録された放送信号を定速又は区分動作若しくは停止画面に再生するため後述するタイミング発生部及び選択部を制御するマイクロコンピューターと、該マイクロコンピューターの制御により定速又は区分動作若しくは停止画面の再生のため後述する映像信号処理部及び音声信号処理部を各々制御するタイミング発生部と、入力する放送信号Ｖｉｎを映像信号Ｖｖ及び音声信号Ｖａに分離する映像／音声信号分離部と、該分離された映像信号Ｖｖを前記タイミング発生部の制御により記録し、該記録された映像信号をリードして出力する映像信号処理部と、前記分離された音声信号Ｖａをタイミング発生部の制御により記録し、該記録された音声信号をリードして出力する音声信号処理部と、それら映像信号処理部及び音声信号処理部の出力信号Ｖｖ’，Ｖａ’と前述の過程を経ずに直接入力する映像信号Ｖｉｎとを前記マイクロコンピューターの制御により選択して出力する選択部と、を備えた放送信号の記録及び再生装置を構成することにより達成される。
【０００５】
又、本発明の目的は、入力放送信号を分離し映像／音声信号メモリに記録する第１段階と、キー入力部のヒストリーモードキーのオン／オフ状態を判別して該ヒストリーモードキーがオンであると映像／音声信号メモリに記録された所定区間の定速映像／音声信号をリードして出力する第２段階と、該ヒストリーモードキーがオフであるとキー入力部のレビューキーのオン／オフ状態を判別し、レビューキーがオフであると動作を終える第３段階と、レビューキーがオンであると映像／音声信号の記録を停止させジョグキーのオン／オフを判別し、該ジョグキーがオフであるとメモリに記録された所定停止画面のデータを読んで出力する第４段階と、前記ジョグキーがオンであると該ジョグキーの入力により映像信号メモリに記録されたデータをリードし得るようにタイミング発生部からリードタイミング信号を発生する第５段階と、該ジョグキーの入力方向を判別して時計方向であるとき、アドレスを増加しながら映像メモリの記録信号をリードして区分動作画面を正方向に出力し、ジョグキーの入力方向が反時計方向であるとき、アドレスを減少させながら映像メモリの記録信号をリードして区分動作画面を逆方向に出力する第６段階と、を順次行うように放送信号の記録及び再生装置を制御することにより達成される。
【０００６】
入力される放送信号の所定区間が恒常映像信号メモリ及び音声信号メモリに記録され、視聴者の選択した機能キーがキー入力部に印加すると、マイクロコンピューターの制御により前記メモリに記録された放送信号が視聴者所望の定速又は区分動作若しくは停止画面に再生される。
【発明の効果】
【０００７】
以上、説明したように、本発明に係る放送信号の記録及び再生装置とその制御方法においては、入力放送信号を映像及び音声信号に分離する映像／音声信号分離部と、それら分離された映像及び音声信号を各々リードして出力する映像信号及び音声信号処理部と、それら各部を選択又は制御する選択部及びタイミング発生部と、それら各部を制御するマイクロコンピューターと、を備えた放送信号の記録及び再生装置とその制御方法が提供されているため、受信放送信号の映像及び音声を視聴して所定区間の放送信号を恒常記録媒体に記録し、視聴者所望の過去の放送区間を定速又は区間動作若しくは停止画面にて再生して視聴し得るという効果がある。
【発明を実施するための最良の形態】
【０００８】
以下、本発明の実施例を図面に沿って詳細に説明する。図１に示したように、本発明に係る放送信号の記録及び再生装置においては、入力する放送信号Ｖｉｎを映像信号Ｖｖ及び音声信号Ｖａに分離する映像／音声信号分離部１１と、該映像／音声分離部１１で分離された映像信号Ｖｖを後述するタイミング発生部２３の制御により圧縮して記録し、該記録された映像信号をリードして後述する選択部２０に出力する映像信号処理部１００と、前記映像／音声信号分離部１１で分離された音声信号Ｖａをタイミング発生部２３の制御により圧縮して記録し、該記録された音声信号をリードして選択部２０に出力する音声信号処理部２００と、直接入力する放送信号Ｖｉｎと前記の圧縮及び復元過程を経て入力する映像／音声信号Ｖｖ’，Ｖａ’とをマイクロコンピューター２２の制御により選択して出力する選択部２０と、使用者の選択した機能キーが入力されるキー入力部２１と、該キー入力部２１から入力する信号によりタイミング発生部２３、選択部２０及び記録部２４を各々制御するマイクロコンピューター２２と、該マイクロコンピューター２２の制御により映像信号事前処理部１２、音声信号事前処理部１３、映像信号メモリ１６及び音声信号メモリ１７を各々制御するタイミング発生部２３と、前記選択部２０の出力信号をマイクロコンピューター２２の制御により半永久記録媒体に記録する記録部２４と、を備えている。
【０００９】
又、前記映像信号処理部１００においては、前記映像／音声信号分離部１１で分離された映像信号Ｖｖが圧縮されるように信号のフォーマットを変換させる映像信号事前処理部１２と、該映像信号事前処理部１２の出力信号を圧縮する映像信号圧縮部１４と、該映像信号圧縮部１４の出力信号を前記タイミング発生部２３の制御により記録し出力する映像信号メモリ１６と、該映像信号メモリ１６の出力信号を本来の映像信号に伸張、復元する映像信号復元部１８と、を備えている。
【００１０】
更に、前記音声信号処理部２００においては、前記映像／音声信号処理部１１で分離された音声信号Ｖａが圧縮されるようにフォーマットを変換させる音声信号事前処理部１３と、該音声信号事前処理部１３の出力信号を圧縮する音声信号圧縮部１５と、該音声信号圧縮部１５の出力信号をタイミング発生部２３の制御により記録し出力する音声信号メモリ１７と、該音声信号メモリ１７の出力信号を本来の音声信号に伸張、復元する音声信号復元部１９と、を備えている。
【００１１】
このように構成された本発明に係る放送信号の記録及び再生装置の制御方法と作用を説明すると次のようである。図１及び図２に示したように、テレビジョン又はビデオテープレコーダーに装着された本発明の放送信号記録及び再生装置に放送信号Ｖｉｎが入力されると、該放送信号Ｖｉｎは選択部２０を通ってモニター及びスピーカーに各々出力され、同時に映像／音声信号分離部１１に印加される。次いで、該映像／音声信号分離部１１で映像信号Ｖｖ及び音声信号Ｖａに分離され、映像信号事前処理部１２及び音声信号事前処理部１３に各々入力される。その後、該映像信号事前処理部１２で映像信号Ｖｖはタイミング発生部２３の制御によりフォーマットが圧縮し得るように変換されて圧縮部１４に出力され、音声信号Ｖａは音声信号事前処理部でタイミング発生部２３の制御により圧縮し得るようにフォーマットが変換された後、音声信号圧縮部１５に出力される。次いで、該圧縮部１４で圧縮された映像信号Ｖｖは映像信号メモリ部１６に印加して貯蔵され、音声信号圧縮部１５で圧縮された音声信号Ｖａは音声信号メモリ１７に印加して貯蔵される。
【００１２】
従って、入力される放送信号Ｖｉｎは選択部２０を経てモニター及びスピーカーに印加され、映像及び音声信号に出力されると同時に、映像信号Ｖｖ及び音声信号Ｖａに分離され、圧縮された後、映像信号メモリ１６と音声信号メモリ１７とに各々貯蔵される。ここで、視聴者所望の再生ハイライト場面が表れ、該視聴者がキー入力部２１のヒストリーモードキーを選択すると、マイクロコンピューター２２によりタイミング発生部２３及び選択部２０が制御され、映像信号事前処理部１２及び音声信号事前処理部１３が各々制御されて放送信号の入力が遮断され、映像信号メモリ１６及び音声信号メモリ１７も各々制御されて前記ヒストリキーの選択された時点を基準に所定時間以前から記録された放送信号がリードされ出力される。この場合、前記タイミング発生部２３は、マイクロコンピューター２２の制御によりキー入力部２１のヒストリーモードの選択された時点から所定時間経過された時点までの映像及び音声信号を、映像信号メモリ１６と音声信号メモリ１７とに各々記録させた後、記録動作を完了するように、前記映像信号事前処理部１２と音声信号事前処理部１３とを各々制御する。従って、視聴者が視聴中にあるハイライト場面を見てヒストリーモードキーを選択した時点が余り早かったために該ハイライトの全場面が見られなくなる不都合な点が補償される。次いで、それら映像信号メモリ１６及び音声信号メモリ１７で各々リードされた出力信号は映像信号復元部１８及び音声信号復元部１９に各々印加して伸張、復元され、それら伸張、復元された映像信号Ｖｖ’及び音声信号Ｖａ’はマイクロコンピューター２２の制御により選択部２０に印加され、前記ヒストリキーの選択された時点を基準に所定区間の放送が定速に再生される。
【００１３】
一方、視聴中、停止画面又は区分動作にて見たい画面が表れた場合、視聴者がキー入力部２１のレビューキーを選択すると、マイクロコンピューター２２によりタイミング発生部２３及び選択部２０が制御され、映像信号事前処理部１２が制御されて前記レビューキーの選択された時点の前後、所定区間の映像信号が映像信号メモリ１６に順次記録され、記録動作が完了される。次いで、前記マイクロコンピューター２２は前記キー入力部２１からジョグキーの入力があるかをチェックし、ジョグキーのオン信号が検出されないと、マイクロコンピューター２２はタイミング発生部２３を制御し、該タイミング発生部２３は映像信号メモリ１６を制御して前記レビューキーの認知された時点の映像信号メモリ１６のアドレスに記録された映像信号をリードさせ、映像信号復元部１８に出力させる。次いで、映像信号復元部１８で元来の映像信号に伸張、復元された出力信号Ｖｖ’が選択部２０に印加され、該選択部２０から停止画面がモニターに出力される。
【００１４】
且つ、マイクロコンピューター２２がジョグキーのオン信号を認知すると、該マイクロコンピューター２２はタイミング発生部２３を制御し、リードタイミング信号を発生して映像信号メモリ１６に出力させる。これは、映像信号メモリ１６に記録された信号がリードされ出力速度が正常速度（３０フレーム／秒）でないジョグキー操作に従う任意の速度になるので、本来の映像信号の垂直、水平同期信号（Vsync,Hsync)に適合したリードタイミング信号を印加させ、画質の劣化を防止するためである。次いで、マイクロコンピューター２２は、入力するジョグキーの方向をチェックし、該ジョグキーの方向が時計方向であると、そのマイクロコンピューター２２はタイミング発生部２３を制御し、アドレスを増加させながら映像信号メモリ１６に記録された信号をリードさせ、出力させて区分動作を正方向に表示させる。若し、入力するジョグキーの方向が反時計方向であると、マイクロコンピューター２２はタイミング発生部２３を制御してアドレスを減少させ、映像信号メモリ１６に記録された信号をリードして出力させ、区分動作を逆方向に表示させる。このように映像信号メモリ１６からリードされ出力する映像信号は、映像信号復元部１８で本来の映像信号に伸張、復元され、選択部２０を通ってモニターに出力される。又、前記キー入力部２１に記録キーの入力があると、マイクロコンピューター２２は選択部２０及び記録部２４を制御し、選択部２０の出力放送信号が記録部２４で磁気テープのような半永久的の記録媒体に記録されるようにする。しかし、キー入力部２１に記録キーの入力がないときは、マイクロコンピューターは前述したモード動作を継続して行う。
【図面の簡単な説明】
【００１５】
【図１】本発明に係る放送信号の記録及び再生装置を示したブロック図である。
【図２】本発明に係る放送信号記録及び再生装置の作用を示したフローチャートである。
【符号の説明】
【００１６】
１００    映像信号処理部
２００    音声信号処理部
１１    映像／音声信号分離部
１２    映像信号事前処理部
１３    音声信号事前処理部
１４    映像信号圧縮部
１５    音声信号圧縮部
１６    映像信号メモリ
１７    音声信号メモリ
１８    映像信号復元部
１９    音声信号復元部
２０    選択部
２１    キー入力部
２２    マイクロコンピューター
２３    タイミング発生部
２４    記録部
【図１】
2006211700.tif 000003
【図２】
2006211700.tif 000004